(57)【要約】【課題】災害時などにユーザーが必要としている情報を、簡単にかつ確実に印刷するシステムを提供すること。【解決手段】サーバー６０と、ユーザーＵに携帯される携帯端末４０と、サーバー６０により生成された情報を出力する印刷装置１０と、が通信可能に接続される災害情報システム１であって、携帯端末４０は、ユーザーＵの固有情報と端末位置とをサーバー６０へ送信し、印刷装置１０は、装置位置をサーバー６０へ送信し、サーバー６０は、端末位置と装置位置とに基づいて携帯端末４０に対応付けられる印刷装置１０を特定する特定情報を生成し、生成した特定情報を印刷装置１０へ送信（処理Ｓ３）し、携帯端末４０から特定情報を受信し（処理Ｓ５）、受信した特定情報が特定する印刷装置１０に対して固有情報に基づいて生成した提供情報を送信し（処理Ｓ６）、印刷装置１０において出力された提供情報をユーザーＵに届ける（処理Ｓ７）。【選択図】図２
2017078878.tif 000002
【特許請求の範囲】
【請求項１】
サーバーと、ユーザーに携帯される携帯端末と、前記サーバーにより生成された情報を出力する印刷装置と、が通信可能に接続される情報処理システムであって、
前記携帯端末は、
前記ユーザーの固有情報を記憶する端末記憶部と、
自機の位置である端末位置を測定する端末測位部と、
外部から情報を入力する入力処理部と、
少なくとも前記固有情報、前記端末位置、および前記入力処理部により入力された情報を前記サーバーへ送信する端末送信部と、
を備え、
前記サーバーは、
前記ユーザーの前記固有情報と前記携帯端末の前記端末位置と前記印刷装置の設置されている装置位置とを記憶するサーバー記憶部と、
前記端末位置および前記装置位置に基づいて前記携帯端末に対応付けられる前記印刷装置を特定する特定情報を生成する特定情報処理部と、
前記ユーザーの前記固有情報と前記携帯端末の前記端末位置とに基づいて、前記ユーザーへ提供する提供情報を生成する提供情報処理部と、
を備え、
前記印刷装置は、
前記サーバーにおいて生成された前記特定情報および前記提供情報を受信する装置受信部と、
受信した前記特定情報および前記提供情報を出力する出力処理部と、
を備え、
前記サーバーの前記特定情報処理部は、前記特定情報が特定した前記印刷装置に対し前記特定情報を送信し、
前記印刷装置の前記装置受信部は前記特定情報を受信し、前記印刷装置の前記出力処理部は前記特定情報を出力し、
前記携帯端末の前記入力処理部は、前記印刷装置の前記出力処理部により出力された前記特定情報を入力し、前記携帯端末の前記端末送信部は、入力された前記特定情報を前記サーバーへ送信し、
前記サーバーの前記提供情報処理部は、前記携帯端末から前記特定情報を受信し、前記携帯端末を携帯する前記ユーザーへの前記提供情報を、受信した前記特定情報が特定する前記印刷装置へ送信すること、
を特徴とする情報処理システム。
【請求項２】
前記出力処理部は、出力する情報を媒体に印刷する印刷部を含むことを特徴とする請求項１に記載の情報処理システム。
【請求項３】
前記出力処理部は、出力する情報を表示する表示部を含むことを特徴とする請求項１または請求項２に記載の情報処理システム。
【請求項４】
前記印刷装置は、前記装置位置を取得する装置位置取得部を備え、取得した前記装置位値を前記サーバーへ送信することを特徴とする請求項１から請求項３のいずれか一項に記載の情報処理システム。
【請求項５】
前記印刷装置は、自機の消耗品に関する情報を前記サーバーへ送信することを特徴とする請求項１から請求項４のいずれか一項に記載の情報処理システム。
【請求項６】
前記印刷装置は、自機の稼働状態に関する情報を前記サーバーへ送信することを特徴とする請求項１から請求項５のいずれか一項に記載の情報処理システム。
【請求項７】
前記携帯端末は、前記ユーザーの生体情報および体動情報の少なくとも一方を含む検出情報を検出する検出部を更に備え、検出された前記検出情報を前記サーバーへ送信し、前記サーバーは、前記検出情報に基づいて前記ユーザーに対する前記提供情報を生成することを特徴とする請求項１から請求項６のいずれか一項に記載の情報処理システム。
【請求項８】
前記特定情報は、前記印刷装置の個体識別番号、メールアドレス、ＩＰアドレス、ＵＲＬ文字列、およびＭＡＣアドレスのうち少なくとも１つを含む文字情報、または前記文字情報が読み取り可能にパターン化された画像データであることを特徴とする請求項１から請求項７のいずれか一項に記載の情報処理システム。
【請求項９】
前記携帯端末は、マルチホップ通信により前記携帯端末の情報を前記サーバーへ送信することを特徴とする請求項１から請求項８のいずれか一項に記載の情報処理システム。
【請求項１０】
請求項１から請求項９のいずれか一項に記載の情報処理システムを構成する前記携帯端末。
【請求項１１】
請求項１から請求項９のいずれか一項に記載の情報処理システムを構成する前記印刷装置。
【請求項１２】
請求項１から請求項９のいずれか一項に記載の情報処理システムを構成する前記サーバー。
【請求項１３】
サーバーと、ユーザーに携帯される携帯端末と、前記サーバーにより生成された情報を出力する印刷装置と、が通信可能に接続される情報処理システムの情報処理方法であって、
前記携帯端末は、
前記ユーザーの固有情報を記憶する端末記憶工程と、
自機の位置である端末位置を測定する端末測位工程と、
外部から情報を入力する入力処理工程と、
少なくとも前記固有情報、前記端末位置、および前記入力処理工程により入力された情報を前記サーバーへ送信する端末送信工程と、
を備え、
前記サーバーは、
前記ユーザーの前記固有情報と前記携帯端末の前記端末位置と前記印刷装置の設置されている装置位置とを記憶するサーバー記憶工程と、
前記端末位置および前記装置位置に基づいて前記携帯端末に対応付けられる前記印刷装置を特定する特定情報を生成する特定情報処理工程と、
前記ユーザーの前記固有情報と前記携帯端末の前記端末位置とに基づいて、前記ユーザーへ提供する提供情報を生成する提供情報処理工程と、
を備え、
前記印刷装置は、
前記サーバーにおいて生成された前記特定情報および前記提供情報を受信する装置受信工程と、
受信した前記特定情報および前記提供情報を出力する出力処理工程と、
を備え、
前記サーバーの前記特定情報処理工程は、前記特定情報が特定した前記印刷装置に対し前記特定情報を送信し、
前記印刷装置の前記装置受信工程は前記特定情報を受信し、前記印刷装置の前記出力処理工程は前記特定情報を出力し、
前記携帯端末の前記入力処理工程は、前記印刷装置の前記出力処理工程により出力された前記特定情報を入力し、前記携帯端末の前記端末送信工程は、入力された前記特定情報を前記サーバーへ送信し、
前記サーバーの前記提供情報処理工程は、前記携帯端末から前記特定情報を受信し、前記携帯端末を携帯する前記ユーザーへの前記提供情報を、受信した前記特定情報が特定する前記印刷装置へ送信すること、
を特徴とする情報処理方法。
【発明の詳細な説明】
【技術分野】
【０００１】
本発明は、情報処理システム、携帯端末、印刷装置、サーバー、および情報処理方法に関する。
【背景技術】
【０００２】
従来、スマートフォン等の携帯端末が、位置情報を用いて目的の場所まで誘導するナビゲーションを実現したり、災害情報を受信するシステムが知られていた。また、ユーザーに装着され、ユーザーの生体情報や位置情報を収集するウェアラブル端末も知られていた。このような、携帯端末やウェアラブル端末が、災害時に利用されることを想定すると、被災地域や災害規模、避難場所の情報、家族の安否情報などユーザーが必要とする情報量が多く、携帯端末やウェアラブル端末の表示では表示できる情報量に限界があった。また、電池寿命の問題もあり数日間にわたり使用することが困難な場合があった。このようなことから、災害時にユーザーに必要な情報を用紙等に印刷することが望まれていた。
特許文献１に記載されているようなメール印刷の技術により、近くにある印刷装置からユーザーが保有する情報を印刷することもよく知られている。
【先行技術文献】
【特許文献】
【０００３】
【特許文献１】特開２０１２−１５９９１４号公報
【発明の概要】
【発明が解決しようとする課題】
【０００４】
しかしながら、特許文献１に記載の技術では、印刷装置に設定されているメールアドレスを知っていれば印刷が可能であるが、災害時等では、ユーザーが自身の位置を認識することも困難な状況が想定され、まして近くにある印刷装置とそのメールアドレスを把握できている可能性は低い。
また、当該技術が災害現場で利用された場合、ユーザーに必要な情報を印刷装置宛に送ったとしても、ユーザーが印刷装置の近くにいて、印刷された情報を取得することができる状態にあるのか否かについても不明であった。
【課題を解決するための手段】
【０００５】
本発明は、上述の課題の少なくとも一部を解決するためになされたものであり、災害時などにユーザーが必要としている情報を、簡単にかつ確実に印刷する技術を提供することにある。
【０００６】
［適用例１］本適用例に係わる情報処理システムは、サーバーと、ユーザーに携帯される携帯端末と、前記サーバーにより生成された情報を出力する印刷装置と、が通信可能に接続される情報処理システムであって、前記携帯端末は、前記ユーザーの固有情報を記憶する端末記憶部と、自機の位置である端末位置を測定する端末測位部と、外部から情報を入力する入力処理部と、少なくとも前記固有情報、前記端末位置、および前記入力処理部により入力された情報を前記サーバーへ送信する端末送信部と、を備え、前記サーバーは、前記ユーザーの前記固有情報と前記携帯端末の前記端末位置と前記印刷装置の設置されている装置位置とを記憶するサーバー記憶部と、前記端末位置および前記装置位置に基づいて前記携帯端末に対応付けられる前記印刷装置を特定する特定情報を生成する特定情報処理部と、前記ユーザーの前記固有情報と前記携帯端末の前記端末位置とに基づいて、前記ユーザーへ提供する提供情報を生成する提供情報処理部と、を備え、前記印刷装置は、前記サーバーにおいて生成された前記特定情報および前記提供情報を受信する装置受信部と、受信した前記特定情報および前記提供情報を出力する出力処理部と、を備え、前記サーバーの前記特定情報処理部は、前記特定情報が特定した前記印刷装置に対し前記特定情報を送信し、前記印刷装置の前記装置受信部は前記特定情報を受信し、前記印刷装置の前記出力処理部は前記特定情報を出力し、前記携帯端末の前記入力処理部は、前記印刷装置の前記出力処理部により出力された前記特定情報を入力し、前記携帯端末の前記端末送信部は、入力された前記特定情報を前記サーバーへ送信し、前記サーバーの前記提供情報処理部は、前記携帯端末から前記特定情報を受信し、前記携帯端末を携帯する前記ユーザーへの前記提供情報を、受信した前記特定情報が特定する前記印刷装置へ送信すること、を特徴とする。
【０００７】
本適用例によれば、サーバーにおいて端末位置と装置位置とに基づいて、印刷装置を特定する特定情報が生成されている。特定情報は、サーバーから印刷装置へ、印刷装置から携帯端末へ、そして携帯端末からサーバーへ、送信される。サーバーから印刷装置へ送信した特定情報が携帯端末から戻されてきたことで、印刷装置へ送信した情報は携帯端末を携帯するユーザーに届いていると言える。
また、携帯端末では、印刷装置から出力された特定情報を、サーバーへ送信するという簡単な操作を行い、印刷装置から出力される提供情報を待っていればよい。
従って、災害時などにユーザーが必要としている情報を簡単にかつ確実に印刷装置に出力して、ユーザーに届けることができる。
【０００８】
［適用例２］前記出力処理部は、出力する情報を媒体に印刷する印刷部を含むことを特徴とする。
【０００９】
本適用例によれば、ユーザーは提供情報が印刷された媒体を、容易に持ち運ぶことができる。例えば、提供情報が避難場所などを掲示する地図であった場合は、地図を見ながら避難場所へ移動することができる。
【００１０】
［適用例３］前記出力処理部は、出力する情報を表示する表示部を含むことを特徴とする。
【００１１】
本適用例によれば、特定情報を表示部に表示することができる。ユーザーは、携帯端末を用いて特定情報を容易に入力することができる。また、印刷しなくてもよいような簡易的な情報を表示部に表示することもできる。例えば、ユーザーに提供する情報が無い場合などでは、表示部に情報が無い旨のメッセージを表示することができる。
【００１２】
［適用例４］前記印刷装置は、前記装置位置を取得する装置位置取得部を備え、取得した前記装置位値を前記サーバーへ送信することを特徴とする。
【００１３】
本適用例によれば、サーバーは、印刷装置が移動された場合に、設置者等が介在されなくとも装置位置を受信し、管理することができる。
【００１４】
［適用例５］前記印刷装置は、自機の消耗品に関する情報を前記サーバーへ送信することを特徴とする。
【００１５】
本適用例によれば、サーバーは、印刷装置の消耗品に関する情報を取得できるので、消耗品の情報に応じて印刷装置を特定することができる。また、消耗品の手配をすることができる。
【００１６】
［適用例６］前記印刷装置は、自機の稼働状態に関する情報を前記サーバーへ送信することを特徴とする。
【００１７】
本適用例によれば、サーバーは、印刷装置の稼働状態を把握することができるので、稼働状態に応じて印刷装置を特定することができる。
【００１８】
［適用例７］前記携帯端末は、前記ユーザーの生体情報および体動情報の少なくとも一方を含む検出情報を検出する検出部を更に備え、検出された前記検出情報を前記サーバーへ送信し、前記サーバーは、前記検出情報に基づいて前記ユーザーに対する前記提供情報を生成することを特徴とする。
【００１９】
本適用例によれば、検出情報を用いることにより、ユーザーの身体の状態に応じた有用な提供情報を生成することができる。
【００２０】
［適用例８］前記特定情報は、前記印刷装置の個体識別番号、メールアドレス、ＩＰアドレス、ＵＲＬ文字列、およびＭＡＣアドレスのうち少なくとも１つを含む文字情報、または前記文字情報が読み取り可能にパターン化された画像データであることを特徴とする。
【００２１】
本適用例によれば、特定情報により印刷装置をインターネット網またはイントラネット網内で特定することができる。
【００２２】
［適用例９］前記携帯端末は、マルチホップ通信により前記携帯端末の情報を前記サーバーへ送信することを特徴とする。
【００２３】
本適用例によれば、災害時などにおいて携帯端末と基幹の通信回線が遮断された場合であっても、サーバーと通信確立できる可能性がある。
【００２４】
［適用例１０］上述の情報処理システムを構成する前記携帯端末。
【００２５】
本適用例によれば、携帯端末を携帯するユーザーは、情報処理システムを利用することで、災害時などに必要としている情報を簡単にかつ確実に取得することができる。
【００２６】
［適用例１１］上述の情報処理システムを構成する前記印刷装置。
【００２７】
本適用例によれば、情報処理システムを構成する印刷装置は、災害時などでユーザーへ提供する提供情報を簡単にかつ確実に出力してユーザーに届けることができる。
【００２８】
［適用例１２］上述の情報処理システムを構成する前記サーバー。
【００２９】
本適用例によれば、情報処理システムを構成するサーバーでは、端末位置と装置位置とに基づいて、印刷装置を特定する特定情報が生成されている。特定情報は、サーバーから印刷装置へ、印刷装置から携帯端末へ、そして携帯端末からサーバーへ、送信される。サーバーから印刷装置へ送信した特定情報が携帯端末から戻されてきたことで、印刷装置へ送信した情報は携帯端末を携帯するユーザーに届いていると言える。
また、携帯端末では、印刷装置から出力された特定情報を、サーバーへ送信するという簡単な操作を行い、印刷装置から出力される提供情報を待っていればよい。
従って、災害時などにユーザーが必要としている情報を簡単にかつ確実に印刷装置に出力して、ユーザーに届けることができる。
【００３０】
［適用例１３］本適用例に係わる情報処理方法は、サーバーと、ユーザーに携帯される携帯端末と、前記サーバーにより生成された情報を出力する印刷装置と、が通信可能に接続される情報処理システムの情報処理方法であって、前記携帯端末は、前記ユーザーの固有情報を記憶する端末記憶工程と、自機の位置である端末位置を測定する端末測位工程と、外部から情報を入力する入力処理工程と、少なくとも前記固有情報、前記端末位置、および前記入力処理工程により入力された情報を前記サーバーへ送信する端末送信工程と、を備え、前記サーバーは、前記ユーザーの前記固有情報と前記携帯端末の前記端末位置と前記印刷装置の設置されている装置位置とを記憶するサーバー記憶工程と、前記端末位置および前記装置位置に基づいて前記携帯端末に対応付けられる前記印刷装置を特定する特定情報を生成する特定情報処理工程と、前記ユーザーの前記固有情報と前記携帯端末の前記端末位置とに基づいて、前記ユーザーへ提供する提供情報を生成する提供情報処理工程と、を備え、前記印刷装置は、前記サーバーにおいて生成された前記特定情報および前記提供情報を受信する装置受信工程と、受信した前記特定情報および前記提供情報を出力する出力処理工程と、を備え、前記サーバーの前記特定情報処理工程は、前記特定情報が特定した前記印刷装置に対し前記特定情報を送信し、前記印刷装置の前記装置受信工程は前記特定情報を受信し、前記印刷装置の前記出力処理工程は前記特定情報を出力し、前記携帯端末の前記入力処理工程は、前記印刷装置の前記出力処理工程により出力された前記特定情報を入力し、前記携帯端末の前記端末送信工程は、入力された前記特定情報を前記サーバーへ送信し、前記サーバーの前記提供情報処理工程は、前記携帯端末から前記特定情報を受信し、前記携帯端末を携帯する前記ユーザーへの前記提供情報を、受信した前記特定情報が特定する前記印刷装置へ送信すること、を特徴とする。
【００３１】
本適用例によれば、サーバーにおいて端末位置と装置位置とに基づいて、印刷装置を特定する特定情報が生成されている。特定情報は、サーバーから印刷装置へ、印刷装置から携帯端末へ、そして携帯端末からサーバーへ、送信される。サーバーから印刷装置へ送信した特定情報が携帯端末から戻されてきたことで、印刷装置へ送信した情報は携帯端末を携帯するユーザーに届いていると言える。
また、携帯端末では、印刷装置から出力された特定情報を、サーバーへ送信するという簡単な操作を行い、印刷装置から出力される提供情報を待っていればよい。
従って、災害時などにユーザーが必要としている情報を簡単にかつ確実に印刷装置に出力して、ユーザーに届けることができる。
【図面の簡単な説明】
【００３２】
【図１】災害情報システムの概要を表す説明図。
【図２】災害情報システムの主要部の概略機能を説明する図。
【図３】災害情報システムの概略構成を表すブロック図。
【図４】災害情報システムの処理を表すシーケンス図。
【図５】特定情報の印刷出力例を示す図。
【図６】提供情報の印刷出力例を示す図。
【図７】提供情報の印刷出力例を示す図。
【図８】変形例に係わる携帯端末の概要を表す説明図。
【発明を実施するための形態】
【００３３】
以下、本発明の実施形態について、図面を参照して説明する。なお、以下の各図においては、各部や各画面を認識可能な程度の大きさにするため、各部や各画面の尺度を実際とは異ならせしめている。
【００３４】
（実施形態１）
図１は、災害情報システムの概要を表す説明図である。図２は、災害情報システムの主要部の概略機能を説明する図である。
図１に示す情報処理システムとしての災害情報システム１は、災害発生時などの有事において、携帯端末４０を装着しているユーザーＵに対して、災害状況やユーザーＵに係わる情報などを最寄りの印刷装置１０へ送信し、印刷された情報を提供するシステムである。災害発生時などにおいては、スマートフォンや携帯端末、またはＴＶ（Television）モニターなどに表示される情報も必要であるが、情報量が多くなると必要な情報を抽出して取得することや確認することが困難である。それらの情報が、用紙等に印刷されていれば、必要な情報を選択して持ち運ぶことも容易であり、また、掲示版などに貼り付けておくなどして、ユーザーＵだけではなく、近くにいる他の関係者にも情報を知らせることができる。
【００３５】
災害情報システム１は、携帯端末４０と、サーバー６０と、印刷装置１０等を備えて構成される。サーバー６０は、携帯端末４０と通信３を介してデータ通信可能に接続されている。通信３は、無線ＬＡＮ（Local Area Network）や携帯通信網などを含む移動体通信網である。また、サーバー６０は、印刷装置１０と通信２を介してデータ通信可能に接続されている。通信２は、有線または無線接続された一般的なイントラネットまたはインターネット通信網である。
【００３６】
携帯端末４０は、ユーザーＵの手首に装着される端末装置であり、測位用衛星から測位情報を取得する測位部４２、脈拍数情報などの生体情報を取得する生体センサー４４と、ユーザーＵの動きに関わる体動情報を取得する体動センサー４５とを含む検出部４３、および測位部４２と検出部４３とから取得した情報をサーバー６０へ送信する通信部４９が本体内側に内蔵されている。また、手首に装着された状態で、手首側と対向する面に露出して各種情報を表示可能な表示部４６と、表示部４６を覆うように配置されるタッチパネル方式で情報を入力可能な操作部４７が備えられている。
【００３７】
サーバー６０は、災害発生時などの有事であっても、稼動可能な電源環境を有した堅牢な施設に設置されるサーバー装置である。サーバー６０は、後述する記憶部８０にデータベースエンジンを備え、携帯端末４０および印刷装置１０に関わる情報を管理する。また、記憶部８０では、リアルタイムに送信される携帯端末４０の位置情報も管理されている。
【００３８】
印刷装置１０は、一般の店舗や事務所、または、一般家庭などに設置されているネットワーク機能を有する印刷装置である。一般の店舗や事務所とは、コンビニエンスストア、スーパーマーケットのサービスカウンター内、百貨店の受付、飲食店や商品販売店の事務室、学校、役所、スポーツ施設等の公共施設などが好適例である。また、印刷装置１０は、画像や文字などを読み取るスキャナーを備えたコピー機能を提供する印刷装置や、写真画像などが記憶された記憶装置から画像を読み込んで印刷する写真プリント機能を提供する印刷装置であってもよい。印刷装置１０に関する情報は、サーバー６０により管理されている。例えば、印刷装置１０の設置位置に関する情報、印刷装置１０の対応用紙サイズ、印刷用紙のストック量、印刷可能インク量とストックされているインク数、インク種別に関する情報などがサーバー６０において管理されている。
【００３９】
尚、図１に示す災害情報システム１では、サーバー６０に対して、１台の印刷装置１０と、１台の携帯端末４０とが通信可能に接続されている例を示しているが、接続されている印刷装置および携帯端末は１台ずつに限らず、それぞれ複数台接続可能である。その場合では、複数台の印刷装置は、印刷装置１０と同様な機能を有し、複数台の携帯端末は携帯端末４０と同様な機能を有しているものとする。また、サーバー６０においても、印刷装置１０および携帯端末４０を含む複数台の印刷装置および複数台の携帯端末が、データベース等で管理されている。
【００４０】
図２を用いて、災害情報システム１におけるサーバー６０と、携帯端末４０と、印刷装置１０との間で送受信される情報（データ）と関連する主要部の機能について説明する。
携帯端末４０は、記憶部５４に記憶されている固有情報と、検出部４３により測位された端末位置をサーバー６０へ送信する（処理Ｓ１）。固有情報には、携帯端末４０に予め入力されているユーザーＵの名前や年齢、性別、持病などに関する情報と、上述した生体情報や体動情報等も含まれている。
印刷装置１０からは、記憶部３０に記憶されている印刷装置の設置位置である装置位置がサーバー６０へ送信される（処理Ｓ２）。
サーバー６０では、データベースエンジン（ＤＢ）を備えた記憶部８０へ、携帯端末４０の固有情報および端末位置、印刷装置１０の装置位置が格納される。尚、携帯端末４０の端末位置や固有情報に含まれる生体情報や体動情報は、ユーザーＵの行動に伴い変化するため、測定された固有情報および端末位置は、一定期間（例えば１分間）毎にサーバー６０へ送信され、記憶部８０へ逐次格納されていてもよい。
【００４１】
サーバー６０では、特定情報処理部７０により特定情報が生成される。特定情報処理部７０は、サーバー６０で管理している複数の印刷装置の中から、携帯端末４０を携帯するユーザーＵに情報を提供するために最も適した印刷装置を特定する。例えば、携帯端末４０の端末位置と最も近い位置（装置位置）に設置されている印刷装置を特定する。特定情報は、特定された印刷装置（印刷装置１０）を識別する情報であり、例えば、印刷装置に割り振られた個体識別番号や、印刷装置１０がメール印刷対応の印刷装置であればメールアドレスなどが、文字列または携帯端末４０で容易に読み込み可能な２次元バーコードなどで表わされた情報である。
【００４２】
サーバー６０では、生成した特定情報を印刷装置１０へ送信する（処理Ｓ３）。印刷装置１０では、受信情報処理部２７により特定情報を受信すると、特定情報出力部２８により特定情報を印刷する。図５に示す特定情報出力紙１００は、特定情報の出力例である。特定情報出力紙１００の詳細は後述する。
【００４３】
ユーザーＵが印刷装置１０を利用できる位置まで到達すると、用紙に印刷された特定情報を確認することができる。入力処理部５２では、ユーザーＵに対して特定情報の入力を促し、特定情報を携帯端末４０に入力させる（処理Ｓ４）。入力された特定情報は、端末送信部５３によりサーバー６０へ送信される（処理Ｓ５）。
【００４４】
サーバー６０では、提供情報処理部７７によって、携帯端末４０を携帯するユーザーＵの固有情報および端末位置に基づいてユーザーＵに提供すべき提供情報を生成する。そして、その提供情報を、携帯端末４０から受信した特定情報において特定された印刷装置１０へ送信する（処理Ｓ６）。
【００４５】
印刷装置１０では、受信情報処理部２７により提供情報を受信すると、提供情報出力部２９により提供情報を印刷する（処理Ｓ７）。ユーザーＵは、印刷装置１０から用紙に印刷された提供情報を確認することができる。図６および図７に示す提供情報出力紙２００，２２０は、提供情報の出力例である（詳細は後述する）。
【００４６】
このようにして、ユーザーＵは、印刷装置１０から出力された特定情報をサーバー６０へ送信するという簡単な操作だけで、印刷装置１０から出力される提供情報を待っていれば良く、いずれユーザーＵに関連する有用な提供情報が、ユーザーＵの目の前にある印刷装置１０から印刷される。
以降、このような効果を得ることができる災害情報システム１の詳細について説明する。
【００４７】
図３は、災害情報システムの概略構成を表すブロック図である。
災害情報システム１は、印刷装置１０、携帯端末４０、およびサーバー６０などから構成され、サーバー６０と印刷装置１０とは上述した通信２により接続され、サーバー６０と携帯端末４０とは上述した通信３により接続されている。
【００４８】
（印刷装置）
印刷装置１０は、出力部１２、通信部１９、制御部２０、および記憶部３０などで構成されている。
出力部１２は、印刷部１３および表示部１５などから構成されている。
印刷部１３は、プリンターＡＳＩＣ（Application Specific Integrated Circuit）、プリンターエンジン（いずれも図示は省略）などから構成される。プリンターＡＳＩＣは、プリンターエンジンを制御する集積回路であり、制御部２０から印刷指示を受けると、その印刷指示の対象となる画像データ、文字データ等の印刷オブジェクトをそれらの配置情報等に基づいて印刷データを生成し、印刷用紙に出力するようプリンターエンジンを制御する。プリンターエンジンは、印刷ヘッドから印刷用紙へインクを吐出することにより印刷を行う周知のインクジェットプリンター機構、トナーを感光体に付着させ用紙に転写して印刷を行う周知の電子写真方式プリンター機構などを有して構成されている。また、プリンターエンジンには、印刷用紙をセットする用紙カセットや印刷物を排出する排出ローラー、印刷物が排紙される排紙トレイなど（いずれも図示は省略）も含まれている。
尚、印刷部１３は、印刷部に相当する。
【００４９】
表示部１５は、ＬＣＤ（Liquid Crystal Display）等を有して構成される表示装置であり、制御部２０により生成された印刷装置１０の操作方法に関する情報や、サーバー６０から受信した情報が表示される。
尚、表示部１５は、表示部に相当する。
【００５０】
通信部１９は、ネットワークアダプターであり、通信２を介してサーバー６０との間でＩＰ（Internet Protocol）、およびサーバー６０との共通の通信プロトコルを用いて各種データを送受信可能に接続する。通信部１９では、ＩＰアドレス、ＭＡＣ（Media Access Control）アドレスなどを管理している。また、印刷装置１０がメール印刷装置として機能する場合では、通信部１９にはメールクライアントサービスが含まれ、その場合は、通信部１９においてメールアドレスを管理している。また、印刷装置１０にＷｅｂサーバー機能を備えることもでき、その場合では、通信部１９は、ＵＲＬ（Uniform Resource Locator）を管理している。尚、メールクライアントサービスは、別途設営されたメールサーバーとの組み合わせで実現してもかまわない。この場合、通信部１９にメールクライアントサービスを搭載しなくてもよい。
【００５１】
制御部２０は、ＣＰＵ（Central Processing Unit）等のプロセッサーであり、印刷装置１０を構成する出力部１２、通信部１９、および記憶部３０などの各部を統括的に制御する制御装置および演算装置である。
制御部２０は、位置設定部２１、登録部２３、受信情報処理部２７、特定情報出力部２８、および提供情報出力部２９などの機能部を含み構成されている。尚、これらの機能部は一部であり、必ずしも必須の構成要素ではない。また、他の機能部を含めてもよい。
【００５２】
位置設定部２１は、印刷装置１０の設置位置を設定する。詳しくは、印刷装置１０を店舗などの設置場所に設置した場合に、印刷装置１０の設置者（業者）により設置場所の情報が設定される。設置場所の情報は、好適例として、緯度、経度、高度の測地系座標で表され、１メートル以内の精度を有していることが好ましい。または、ＵＴＭグリッド座標であってもよい。ＵＴＭグリッドは、国際的にＭＧＲＳ（Military Grid Reference System）と呼ばれ、地球上の位置を特定する方法、およびこの方法により表現される位置情報の形態である。更に、設置場所の情報には、建物の設置フロアーの階数や、他の目標物からの位置関係の情報などが含まれていてもよい。
位置設定部２１は、設置位置に関する情報を取得すると、記憶部３０へ位置データ３１として記憶する。
尚、位置設定部２１は、印刷装置１０に測位用衛星からの衛星信号を受信する測位部（図示は省略）を設け、自機の位置を測位する構成であってもよい。位置設定部２１は、測位した位置情報を、記憶部３０へ位置データ３１として記憶する。
【００５３】
登録部２３は、印刷装置１０の設置位置などの情報をサーバー６０へ登録する。登録部２３は、印刷装置１０の設置位置が変更された後に実行される機能部であり、記憶部に記憶された位置データ３１を読み出し、サーバー６０へ送信する。また、通信部１９において管理しているアドレスなどの情報も付加して送信する。
尚、印刷装置１０の設置位置は装置位置に相当し、位置設定部２１および登録部２３は、装置位置取得部に相当する。
【００５４】
受信情報処理部２７は、通信部１９を制御しサーバー６０と通信２を確立し、サーバー６０から送信される各種コマンドデータを受信し、受信したコマンドに応じた処理を実行する。具体的には、サーバー６０から災害発生を示すコマンドを受信した場合は、設置位置情報をサーバー６０へ送信する。サーバー６０から特定情報の印刷を指示するコマンドを受信した場合は、特定情報出力部２８へ処理を移す。また、サーバー６０から提供情報の印刷を指示するコマンドを受信した場合は、提供情報出力部２９へ処理を移す。尚、受信情報処理部２７は、印刷装置１０の稼働状況や消耗品情報を送信してもよい。これらをサーバー６０へ送信することにより、サーバー６０は、印刷装置１０が故障していないか、消耗品の量は十分であるかを知ることができる。消耗品情報は消耗品を特定する型番などを含んでいてもよい。このことにより、消耗品の残量が不十分である場合、適切な消耗品を手配することができる。受信情報処理部２７および通信部１９は、装置受信部に相当する。
【００５５】
特定情報出力部２８は、特定情報を印刷部１３へ出力する。受信情報処理部２７は、サーバー６０から特定情報データ８７を受信して、特定情報出力部２８へ受け渡す。特定情報出力部２８は、特定情報データ８７をラスターイメージに変換して印刷部１３へ出力する。印刷部１３では、用紙上に特定情報データ８７が印刷される。
【００５６】
提供情報出力部２９は、提供情報を印刷部１３へ出力する。受信情報処理部２７は、サーバー６０から提供情報データ８８を受信して、提供情報出力部２９へ受け渡す。提供情報出力部２９は、提供情報データ８８をラスターイメージに変換して印刷部１３へ出力する。印刷部１３では、用紙上に提供情報データ８８が印刷される。
尚、特定情報出力部２８および出力部１２と、提供情報出力部２９および出力部１２とは、それぞれ出力処理部に相当する。
【００５７】
記憶部３０は、ＲＯＭ（Read Only Memory）やフラッシュＲＯＭ、ＲＡＭ（Random Access Memory）、ＨＤＤ（Hard Disk Drive）、ＳＳＤ（Solid State Drive）等の記憶装置によって構成され、制御部２０の各機能部を実現するための各種プログラムや位置データ３１を含むデータ等を記憶している。
位置データ３１は、上述したように位置設定部２１により取得された印刷装置１０の設置位置とその関連情報が格納されている。
【００５８】
（携帯端末）
携帯端末４０は、測位部４２、検出部４３、表示部４６、操作部４７、撮像部４８、通信部４９、制御部５０、および記憶部５４などで構成されている。
【００５９】
測位部４２は、測位用ＧＮＳＳ（Global Navigation Satellite System）衛星から測位情報を受信するセンサー部とアンテナ部、および位置情報算出部（図示は省略）とを有して構成され、携帯端末４０の位置情報を出力する。位置情報には、緯度、経度、高度などが含まれ、単位時間毎（例えば１秒毎）に算出される。算出された位置情報は、記憶部５４に位置データログ５６として格納される。
尚、測位部４２は、端末測位部に相当する。
【００６０】
検出部４３は、生体センサー４４および体動センサー４５などで構成されている。
生体センサー４４は、例えば、脈拍センサーであり、発光素子と受光素子とを備える光電センサーにより構成されており、発光素子から生体に向かって光を照射させ、血管で反射された反射光を受光素子により受光する。脈拍センサーは、血管の拡張時と収縮時とで光の反射率が異なる現象を利用してユーザーの脈波を検出する。脈拍センサーは、検出された脈波のデータを周波数分解処理し各周波数の信号強度値を分析し、脈波に相当する周波数スペクトルを特定する。そして、脈波の周波数スペクトルの周波数から脈拍数を算出する。算出した脈拍数および脈波は生体データログ５７として記憶部５４へ格納される。尚、脈拍センサーは、上述の光電センサーに限らず、超音波により血管の収縮を検出して脈拍数を測定する超音波センサーを採用しても良く、電極から微弱電流を体内に流して脈拍数を測定するセンサー等を採用してもよい。
また、脈拍数の情報を利用して、他の生体情報を算出して、生体データログ５７として格納してもよい。具体的には、消費カロリー、脂肪燃焼ゾーンにおける脈拍数、運動強度の高いゾーンにおける脈拍数、リラックスと緊張度合を表す指標などが算出されてもよい。尚、消費カロリーは、脈拍数の変化と酸素摂取量の変化との相関関係を用いて運動強度を算出し運動強度に対応する消費カロリーを算出する。また、リラックスと緊張度合を表す指標は、心臓の交感神経および副交感神経の活動状況と脈拍数の変化状況とにおける相関関係に基づいて導出される。また、生体センサー４４は、装着者の体温、呼吸数、血中飽和酸素濃度、または、脳波などの様々な身体情報を検出してもかまわない。
【００６１】
体動センサー４５は、加速度センサーなどであり、略直交する３軸方向の加速度を検出するＭＥＭＳ（Micro Electro Mechanical Systems）センサーである。３軸方向における各軸の加速度変化をサンプリング間隔毎に計測し、加速度信号を生成する。加速度信号から単位時間当たりの加速度の変化量を積分し、単位時間当たりの運動量から運動強度を算出する。算出した運動量や運動強度を含む体動情報は、記憶部５４に体動データログ５８として格納される。
また、体動センサー４５は、ジャイロセンサーを備えてもよい。ジャイロセンサーは、略直交する３軸を中心軸とした角速度を検出するＭＥＭＳセンサーであり、各軸を中心とした角速度の変化をサンプリング間隔毎に計測し角速度信号を生成する。角速度信号を用いてユーザーの身体の傾きや回転に伴う運動量などが単位時間毎に算出され、それらの情報も運動強度に用いられてもよい。
【００６２】
表示部４６は、文字や画像、アイコンの表示が可能な表示装置であり、例えば、柔軟に変形可能なフレキシブルタイプのドットマトリックス型ＥＰＤ（Electrophoretic Display）などである。制御部５０から入力される表示信号に基づく各種表示を行う。尚、表示部４６は、ＬＣＤ（Liquid Crystal Display）、セグメント型ＬＥＤなどであってもよい。
【００６３】
操作部４７は、表示部４６の表示面を覆うタッチセンサーやタッチパネル等を有して構成される入力装置であり、静電容量方式または抵抗膜方式などの方式でタッチされた部位を検出し、検出信号を制御部５０に出力する。
【００６４】
撮像部４８は、例えばＣＣＤ（Charge Coupled Device）センサーであり、受光量を光電変換して撮像信号（画像信号）を生成する。生成した撮像信号を制御部５０に出力する。尚、ＣＭＯＳセンサーを使用してもかまわない。
【００６５】
通信部４９は、携帯電話による通信、無線ＬＡＮなどの無線通信アダプターであり、ＩＰ、およびサーバー６０と共通の通信プロトコルを有している。通信部４９は、ＩＰなどの通信プロトコルを用いて通信３を介してサーバー６０と各種データや各種コマンドの送受信を行う。なお、通信部４９は、この構成に限定するものではなく、無線通信が可能な通信アダプターであれば良く、例えば、近距離無線アダプター、Ｂｌｕｅｔｏｏｔｈ（登録商標）アダプターであってもよい。
【００６６】
制御部５０は、ＣＰＵやＤＳＰ（Digital Signal Processor）等のプロセッサーを有して構成され、携帯端末４０を構成する測位部４２および検出部４３を含む各部を統括的に制御する制御装置および演算装置である。
制御部５０は、端末情報生成部５１、入力処理部５２、および端末送信部５３などの機能部を含み構成されている。尚、これらの機能部は一部であり、必ずしも必須の構成要素ではない。また、他の機能部を含めてもよい。
【００６７】
端末情報生成部５１は、サーバー６０へ送信する固有情報および端末位置を含む情報を生成する。詳しくは、固有情報は、予め入力処理部５２によりユーザーＵから入力されて、記憶部５４に固有情報データ５５として記憶されている。端末情報生成部５１では、固有情報データ５５から、サーバー６０へ送信するデータを抽出する。送信するデータは、例えば、名前、年齢、性別、住所、や個人を特定する識別コード、家族の情報などである。また、端末情報生成部５１では、位置データログ５６、生体データログ５７、および体動データログ５８などから最新の端末位置、生体情報、および体動情報を抽出する。また、端末位置、生体情報、および体動情報の過去ログなどを含めて抽出してもよい。
端末情報生成部５１では、抽出した固有情報、位置情報、生体情報、および体動情報を端末送信部５３へ引き渡し、端末送信部５３へ処理を移す。尚、生体情報および体動情報は、ユーザーＵの固有情報に含めて扱ってもよい。
【００６８】
入力処理部５２は、携帯端末４０の外部から情報を入力する。携帯端末４０に備えられている操作部４７および撮像部４８が、外部からの情報を入力する構成部である。操作部４７では、タッチパネルなどを介して入力された文字列などを文字情報として取得する。また、撮像部４８では、ＣＣＤセンサーにより撮像された画像を入力して画像情報として取得する。例えば、特定情報が用紙に印刷されている場合は、ユーザーＵが操作部４７を操作することにより印刷されている特定情報の内容を転記して入力する。また、印刷されている特定情報の内容が、バーコードやＱＲコード（登録商標）などの２次元コードなどの場合では、撮像部４８を介してそれらのコードを撮像し、デコーダーソフトウェアを用いてコードに含まれている文字情報をデコードする。
尚、入力処理部５２では、文字情報として入力することに限定されず、音声入力部（図示は省略）などを更に備え、画像や動画の情報や音声情報を入力し、画像ファイルや動画ファイル、音声ファイルとして取得してもよい。
入力処理部５２では、入力された特定情報を端末送信部５３へ引き渡し、端末送信部５３へ処理を移す。
【００６９】
端末送信部５３は、制御部５０により生成された情報を通信部４９および通信３を介してサーバー６０へ送信する。
端末送信部５３では、端末情報生成部５１から処理が移された場合では、引き渡された固有情報、位置情報、生体情報、および体動情報を送信用のデータパッケージに変換し、そのデータパッケージをサーバー６０へ送信する。
端末送信部５３では、入力処理部５２から処理が移された場合では、引き渡された情報に応じた方法で特定情報をサーバー６０へ送信する。例えば、端末送信部５３は、引き渡された特定情報がＵＲＬである場合は、ＨＴＴＰ（Hyper Text Transfer Protocol）で用いられるメッセージを生成して、ＵＲＬをサーバー６０（Ｗｅｂサーバー）へ送信する。
【００７０】
記憶部５４は、ＲＯＭやフラッシュＲＯＭ、ＲＡＭ、ＨＤＤ、ＳＳＤ等の記憶装置によって構成され、固有情報データ５５、位置データログ５６、生体データログ５７、および体動データログ５８などが記憶されている。
尚、記憶部５４は、端末記憶部に相当する。また、固有情報データ５５、生体データログ５７、体動データログ５８は、それぞれ個別に記憶されているが、これらのデータは、記憶されているユーザーの固有情報に相当する。
【００７１】
固有情報データ５５は、ユーザーＵの固有情報が格納されたデータである。例えば、名前、年齢、性別、住所、個人を特定する識別コード、家族の情報、保険証の番号、趣味、職業、保有資格などの情報が格納されている。これらの情報は、操作部４７を介してユーザーＵによって入力された情報である。また、サーバー６０において管理されている携帯端末管理ＤＢ８３から取得された情報であってもよい。
【００７２】
位置データログ５６は、測位部４２により測位された位置情報が格納されている。具体的には、緯度、経度、高度、測位時刻の情報が測位時刻毎に格納されている。
【００７３】
生体データログ５７は、生体センサー４４により測定された生体情報が格納されている。具体的には、脈拍数、消費カロリー、脂肪燃焼ゾーンにおける脈拍数、運動強度の高いゾーンにおける脈拍数、リラックスと緊張度合を表す指標、測定時刻の情報が測定時刻毎に格納されている。
【００７４】
体動データログ５８は、体動センサー４５により測定された体動情報が格納されている。具体的には、運動量、運動強度、測定時刻の情報が測定時刻毎に格納されている。
【００７５】
（サーバー）
サーバー６０は、表示部６１、操作部６２、通信部６３、処理部６４、および記憶部８０などで構成されている。
【００７６】
表示部６１は、ＬＣＤ等を有して構成される表示装置であり、処理部６４から出力される表示信号に基づいた各種表示処理を行う。
操作部６２は、キーボード、マウス、タッチパネルなどの入力装置である。
通信部６３は、ネットワークアダプターであり、通信２を介して印刷装置１０との間でＩＰおよび印刷装置１０との共通の通信プロトコルを用いて各種データを送受信可能にする。また、通信３を介して携帯端末４０との間で、ＩＰおよび携帯端末４０との共通の通信プロトコルを用いて各種データを送受信可能にする。
【００７７】
処理部６４は、ＣＰＵ等のプロセッサーを有して構成され、サーバー６０を構成する表示部６１、操作部６２、通信部６３、および記憶部８０を含む各部を統括的に制御する制御装置および演算装置である。
処理部６４は、登録部６５、災害処理部６７、特定情報処理部７０、および提供情報処理部７７などの機能部を含み構成されている。尚、これらの機能部は一部であり、必ずしも必須の構成要素ではない。また、他の機能部を含めてもよい。
【００７８】
登録部６５は、サーバー６０で管理する複数の印刷装置および携帯端末などをサーバー６０に登録する。例えば、印刷装置１０が設置場所に設置された場合は、印刷装置１０の登録部２３から印刷装置１０の登録情報が送信される。登録部６５は、登録情報を取得すると、印刷装置１０を識別するための識別コードを採番し、記憶部８０の印刷装置管理ＤＢ８１へ印刷装置１０の各種情報を格納する。また、例えば携帯端末４０が初めて利用される場合では、ユーザーＵによって登録されたユーザーＵの固有情報が端末送信部５３から送信される。登録部６５は、受信したユーザーＵの固有情報を記憶部８０の携帯端末管理ＤＢ８３の固有情報８４へ格納する。このようにして、サーバー６０の印刷装置管理ＤＢ８１には、複数の印刷装置の情報が管理され、携帯端末管理ＤＢ８３には、複数の携帯端末の情報が管理されている。
【００７９】
災害処理部６７は、災害発生のトリガーを受けて、災害が発生したことを印刷装置１０へ通知する。詳しくは、災害発生のトリガーは、操作部６２または通信部６３を介して入力される割り込み処理である。災害等の有事が発生すると、有事の内容によって対応する所定の機関（例えば、地震災害の場合では気象庁所管の機関）から、緊急情報が発信される。サーバー６０では、緊急情報に連動する信号を監視し、信号が発生するとサーバー６０の災害処理部６７を起動する。災害処理部６７が起動されると、印刷装置１０へ災害発生信号を送信する。印刷装置１０から、最新の設置位置に関する情報を取得すると、記憶部８０の印刷装置管理ＤＢ８１の装置位置８２を更新する。
【００８０】
特定情報処理部７０は、端末情報取得部７１、装置決定部７３、特定情報生成部７５などを有して構成されている。
端末情報取得部７１は、携帯端末４０から固有情報、位置情報、生体情報および体動情報を取得する。詳しくは、携帯端末４０に対して、通信部６３および通信３を介して、携帯端末４０の最新の固有情報、位置情報、生体情報および体動情報を要求するコマンドを送信する。携帯端末４０から送信された最新の固有情報、位置情報、生体情報および体動情報を携帯端末管理ＤＢ８３へ格納する。
【００８１】
装置決定部７３は、携帯端末４０の位置情報と近い位置にある印刷装置の候補を決定する。詳しくは、携帯端末４０の位置情報と複数の印刷装置の設置位置との距離を算出して、所定の範囲内に存在する印刷装置のリストを作成する。作成された印刷装置候補のリストを記憶部８０へ候補リストテーブル８６として格納する。ここで所定の範囲は、例えば、直線距離で３０メートル以内といった範囲である。また、対象の印刷装置候補が存在しない場合は、所定の範囲を更に広げて、印刷装置のリストを作成する。
候補リストテーブル８６には、複数の印刷装置候補の情報が格納され、その設置位置が、携帯端末４０の位置情報と近い距離の順に順位付けされている。
装置決定部７３では、更に、候補リストテーブル８６において順位付けされた順に、携帯端末４０と対応付ける印刷装置１０を決定する。尚、印刷装置１０から装置の稼働状況や消耗品情報を受信した場合、その情報を加味して携帯端末４０と対応付ける印刷装置１０を決定してもよい。そうすることにより、一番近い距離の印刷装置が故障していたり消耗品の量が不十分であったりして、印刷が困難となる事態を避けることができる。
【００８２】
特定情報生成部７５は、装置決定部７３により決定された印刷装置１０の特定情報を生成する。詳しくは、装置決定部７３により決定された印刷装置１０に関する情報を、印刷装置管理ＤＢ８１から読み出す。読み出した情報から、少なくとも印刷装置１０を特定する情報を抽出する。例えば、印刷装置１０の、サーバー６０で採番した個体識別番号としての識別コード、メールアドレス、ＩＰアドレス、ＭＡＣアドレス、ＵＲＬなどである。このような情報から、特定情報を生成し、記憶部８０に特定情報データ８７として格納する。
特定情報データ８７は、印刷装置１０において用紙等に印刷された場合に、携帯端末４０の入力処理部５２で入力することができるような情報として提供される。例えば、特定情報データ８７には、バーコードやＱＲコード等を含めることができる。バーコードやＱＲコードは、携帯端末４０に撮像部４８が備えられ、更に、デコーダーソフトウェアが備えられている場合では有効な手段である。携帯端末４０側では、特定情報データ８７を簡単に、より確実に入力することが可能である。図５に示す特定情報出力紙１００は、その一例であり、情報１０３がＱＲコードで印刷されている。情報１０３は、デコードすると「https://www.x.y ?pid=printer0111」が表示される（図５に示すＱＲコードはダミーである）。これは、携帯端末４０において、情報１０３が読み込まれると、サーバー６０のＵＲＬである「https://www.x.y」を指定して、引数として印刷装置１０の識別コード「printer0111」がサーバー６０へ引き渡される。
特定情報生成部７５では、特定情報データ８７を、通信部６３および通信２を介して印刷装置１０へ送信する。このとき、印刷装置１０へは、印刷を指示するコマンドと、特定情報データ８７とが送信される。
【００８３】
提供情報処理部７７は、特定情報照合部７８および提供情報生成部７９などを有して構成されている。
特定情報照合部７８は、携帯端末４０から受信した特定情報の内容が、送信した特定情報データ８７の内容と一致するか否か、および送信した携帯端末４０からの情報であるか照合する。照合できた場合は、提供情報生成部７９へ処理を移す。
特定情報照合部７８において、照合できなかった場合は、特定情報処理部７０の処理に戻り、印刷装置１０に対して２回ほど送信を繰り返し、それでも照合できなかった場合は、候補リストテーブル８６の次の候補である印刷装置に対して特定情報処理部７０の処理を実行する。
【００８４】
提供情報生成部７９では、携帯端末４０を携帯するユーザーＵに対する提供情報を生成し、記憶部８０へ提供情報データ８８として格納する。提供情報生成部７９では、端末情報取得部７１において取得した携帯端末４０の固有情報、位置情報、生体情報、および体動情報に関連する情報を、インターネット上の様々なサイトから収集する。例えば、固有情報に含まれる家族情報等からユーザーＵの家族の安否に関する情報を取得してもよい。また、位置情報からは、近隣の避難場所や近隣の危険地域などの情報を取得してもよい。また、生体情報および体動情報からは、ユーザーＵの体調等の情報や身体の状態を分析し、診察や治療が必要であれば近隣の病院（専門医が常駐する）などの情報を取得してもよい。
提供情報生成部７９では、このような情報を収集したのち、ユーザーＵに対して有効な情報が提供情報データ８８として生成される。後述する提供情報出力紙２００（図６）、提供情報出力紙２２０（図７）は、その一例である。また、近隣の病院までの経路や、避難誘導するための情報であってもよい。
【００８５】
記憶部８０は、ＲＯＭやフラッシュＲＯＭ、ＲＡＭ、ＨＤＤ、ＳＳＤ等の記憶装置によって構成され、印刷装置管理ＤＢ８１、携帯端末管理ＤＢ８３、候補リストテーブル８６、特定情報データ８７、および提供情報データ８８などが格納されている。また、記憶部８０にはリレーショナルデータベースなどのデータベースエンジンが搭載され、印刷装置管理ＤＢ８１および携帯端末管理ＤＢ８３で管理されるデータの登録、更新、削除、検索等の各処理およびトランザクション処理が実行される。
尚、記憶部８０は、サーバー記憶部に相当する。
【００８６】
印刷装置管理ＤＢ８１は、装置位置８２などのテーブルを含み構成されている。装置位置８２は、登録されている複数の印刷装置が設置されている設置位置の情報が格納されている。設置位置の情報としては、設置位置の緯度、経度、高度の測地系座標、ＵＴＭグリッド座標、建物の設置フロアーの階数、他の目標物からの位置関係の情報、などが含まれていてもよい。また、印刷装置管理ＤＢ８１には、登録されている複数の印刷装置の機能や仕様、消耗品量に関する情報が格納されていてもよい。このことにより、複数の印刷装置の中から適切な印刷装置を選択することができる。
【００８７】
携帯端末管理ＤＢ８３は、登録されている複数の携帯端末に関する固有情報８４、端末位置８５などのテーブルを含み構成されている。
固有情報８４には、名前、年齢、性別、住所、個人を特定する識別コード、家族の情報が格納されている。また、固有情報８４には、時系列に、上述した生体情報および体動情報が格納されている。
端末位置８５には、時系列に端末の位置情報が格納されている。
【００８８】
候補リストテーブル８６は、複数の印刷装置のＩＤが格納されているテーブルであり、装置決定部７３によってテンポラリーに生成される。また、対象となる携帯端末４０と印刷装置との最新の距離がリアルタイムに格納される。
【００８９】
特定情報データ８７は、上述したように特定情報生成部７５により生成された特定情報である。
提供情報データ８８は、上述したように提供情報生成部７９により生成された提供情報である。
【００９０】
（災害情報提供方法）
図４は、災害情報システムの処理を表すシーケンス図である。本シーケンス図では、携帯端末４０、サーバー６０、印刷装置１０における各機能部が相互に連携して提供情報をユーザーＵへ提供するまでの処理を時間の流れに沿って（図４の上から下へ）表している。尚、災害が発生した時点を災害発生Ｘとしている。
尚、本シーケンスは、情報処理方法に相当する。
【００９１】
印刷装置１０の登録部２３では、装置位置データ３１ａをサーバー６０へ送信する。サーバー６０では、登録部６５が装置位置データ３１ａを受信して、印刷装置管理ＤＢ８１へ格納する（サーバー記憶工程）。
災害発生Ｘが発生すると、災害発生トリガーがかかり、サーバー６０の災害処理部６７が起動される。
災害処理部６７では、災害発生信号Ｘａを印刷装置１０へ送信する。印刷装置１０の受信情報処理部２７では、災害発生信号Ｘａを受信すると装置位置データ３１ｂをサーバー６０へ送信する。装置位置データ３１ｂは、最新の装置位置の情報であり、設置位置に変更がない場合は装置位置データ３１ａと同じ内容の装置位置の情報が送信される。災害処理部６７は、装置位置データ３１ｂを受信すると、携帯端末４０からのデータ受信を待機する。尚、印刷装置１０は、装置位置データ３１ｂとともに、自機の稼働状況や消耗品情報を送信してもよい。
【００９２】
携帯端末４０では、災害発生Ｘを受けたユーザーＵの操作により、端末情報生成部５１が起動される。端末情報生成部５１では、記憶部５４に格納されている固有情報データ５５、位置データログ５６、生体データログ５７、体動データログ５８を読み込み端末送信部５３へ処理を移す。尚、端末情報生成部５１では、測位部４２、検出部４３を動作させて、最新の端末位置、生体情報、および体動情報を取得して、それらの情報を端末送信部５３へ引き渡してもよい。
尚、携帯端末４０では、ユーザーＵによって初めて携帯された時点で、ユーザーＵに自身の固有情報を入力させ、固有情報データ５５として記憶部５４に格納する（端末記憶工程）。また、携帯端末４０では、ユーザーＵによって携帯されると測位部４２のセンサー部を起動し、端末位置を測定する（端末測位工程）。
【００９３】
端末送信部５３は、端末情報生成部５１により引き渡された固有情報、位置情報、生体情報、および体動情報を送信用のデータパッケージに変換して、固有情報データ５５ａ、端末位置データ５６ａ、生体データ５７ａ、体動データ５８ａとしてサーバー６０へ送信する（端末送信工程）。
【００９４】
尚、サーバー６０の災害処理部６７は携帯端末４０からのデータ受信を待機するとしているが、サーバー６０において災害処理部６７の処理の後で、端末情報取得部７１から、携帯端末４０に対して最新の固有情報、位置情報、生体情報および体動情報を送信要求するコマンドを送信してもよい。その場合は、携帯端末４０側で送信要求のコマンドの受信を受けて、最新の固有情報、位置情報、生体情報および体動情報をサーバー６０へ送信する。
【００９５】
サーバー６０の特定情報処理部７０の端末情報取得部７１では、固有情報データ５５ａ、端末位置データ５６ａ、生体データ５７ａ、体動データ５８ａを受信し、記憶部８０へ格納する。
次に、特定情報処理部７０の装置決定部７３および特定情報生成部７５では、端末位置データ５６ａの内容が格納された端末位置８５と、装置位置データ３１ｂの内容が格納された装置位置８２の位置情報に基づいて、候補リストテーブル８６を生成する。候補リストテーブル８６において優先順位の高い順に決定された印刷装置１０と当該印刷装置１０を特定する特定情報を生成し、特定情報データ８７として記憶部８０に格納する。特定情報データ８７を特定情報データ８７ａとして、印刷装置１０へ、印刷指示コマンドと共に送信する（特定情報処理工程）。
【００９６】
印刷装置１０の受信情報処理部２７では、特定情報データ８７ａと印刷指示コマンドを受信する（装置受信工程）と、特定情報出力部２８へ処理を移す。特定情報出力部２８では、特定情報データ８７ａを印刷用のデータに変換した特定情報データ８７ｂを出力部１２へ出力する。出力部１２は、印刷用のデータである特定情報データ８７ｂを所定の用紙に印刷する（出力処理工程）。このことにより受信した特定情報データ８７ａは用紙上に特定情報データ８７ｃとして印刷される。
ユーザーＵは、最寄りの印刷装置１０から印刷された特定情報データ８７ｃを確認することができる。
【００９７】
携帯端末４０の入力処理部５２では、特定情報データ８７ｃの情報を入力し、端末送信部５３へ処理を移す（入力処理工程）。
携帯端末４０の端末送信部５３では、特定情報データ８７ｃを特定情報データ８７ｄとしてサーバー６０へ送信する。このとき、携帯端末４０に格納されている固有情報データ５５から携帯端末４０を識別する識別コードを読み込み、固有情報データ５５ｂとして送信データに付加する（端末送信工程）。
【００９８】
サーバー６０の提供情報処理部７７では、特定情報照合部７８は、携帯端末４０から受信した固有情報データ５５ｂが、上述した携帯端末４０から受信した固有情報データ５５ａと比較し、同一の携帯端末４０からの情報であったか照合する。両者が照合できた場合は、特定情報データ８７ｄおよび固有情報データ５５ｂの情報を、提供情報生成部７９に引き渡して処理を移す（提供情報処理工程）。
【００９９】
提供情報生成部７９は、固有情報データ５５ｂと携帯端末管理ＤＢ８３から必要な情報を取得し、また、インターネット上の様々なサイトから災害情報を取得し、携帯端末４０を携帯するユーザーＵの固有情報や端末位置に関連する情報を収集し提供情報データ８８として記憶部８０に格納する。提供情報生成部７９は、提供情報データ８８を提供情報データ８８ａとして、印刷指示コマンドと共に印刷装置１０へ送信する（提供情報処理工程）。
【０１００】
印刷装置１０の提供情報出力部２９は、提供情報データ８８ａを出力部１２へ出力する。出力部１２は、提供情報データ８８ｂを所定の用紙に印刷する（出力処理工程）。提供情報データ８８ｂは、用紙上に提供情報データ８８ｃとして印刷される。
ユーザーＵは、上述した特定情報データ８７ｃを確認した印刷装置１０において、提供情報データ８８ｃを確認することができる。
【０１０１】
このようなシーケンスによって、災害発生Ｘの発生以降、携帯端末４０を携帯するユーザーＵは、印刷装置１０から印刷された特定情報データ８７ｃを確認でき、引き続き、同じ印刷装置１０から印刷された提供情報データ８８ｃを確認することができる。提供情報データ８８ｃには、ユーザーＵの固有情報や端末位置に基づいて収集された災害時においてユーザーＵに有用な情報が含まれている。
【０１０２】
サーバー６０において、印刷装置１０が印刷した特定情報データ８７ａと、携帯端末４０から受信した特定情報データ８７ｄの照合ができたということは、携帯端末４０のユーザーＵが印刷装置１０の設置場所に到達したことを意味する。従って、ユーザーＵは、その印刷装置１０が印刷した用紙をサーバー６０から送信された自身に対する情報として確実に入手することができる。また、サーバー６０において、両者の照合ができない場合では、ユーザーＵは間違った印刷装置１０に到達したことを知ることができる。その場合、サーバー６０では、ユーザーＵが間違って到達した印刷装置１０へ提供情報データ８８ａを送付することができる。また、到達した印刷装置１０が特定情報を印刷していない場合も間違った印刷装置１０に到達したことをユーザーＵは知ることができるので、サーバー６０との通信により、再度適切な印刷装置１０の案内を受信することができる。
【０１０３】
（特定情報および提供情報の出力例）
次に印刷された特定情報データ８７ｃおよび提供情報データ８８ｃの印刷出力例について説明する。
図５は、特定情報の印刷出力例を示す図、図６および図７は提供情報の印刷出力例を示す図である。
特定情報出力紙１００に印刷されている情報は、情報１０１、情報１０３、情報１０５、および情報１０７を有している。
情報１０１は、情報１０３を読み込む旨の案内であり、「以下のコードを読み込んで下さい。」が印字されている。
情報１０３には、ＱＲコードが印刷されている。ＱＲコードには、情報１０７の文字情報と同様の情報が含まれている。尚、図５に示すＱＲコードの画像パターンはダミーデータである。
情報１０５は、情報１０７を入力する旨の案内であり、「または、以下の情報を入力して、送信して下さい。」が印字されている。
情報１０７には、ＵＲＬに関する文字情報が印字されている。文字情報は、「https://www.x.y ?pid=printer0111」であり、「https://www.x.y」はサーバー６０のＵＲＬに相当し、「printer0111」は、サーバー６０で管理する印刷装置１０の識別コードである。
【０１０４】
図６に示す提供情報出力紙２００は、ユーザーＵの固有情報や端末位置に基づいて収集された災害時においてユーザーＵに有用な情報が含まれている。尚、ユーザーＵの固有情報には、ユーザーＵの生体情報や体動情報が含まれているものとする。
提供情報出力紙２００には、ＵＴＭグリッド座標で表された地図２１０が印刷されている。地図２１０上の緯度方向の格子が７２〜７５まで、経度方向の格子が６０〜６２まで記載されている。尚、図６に示すＵＴＭグリッド座標に対応する地図２１０は架空の地図である。
地図２１０には、マーク２０１〜２０６が印刷されている。マークの形状は、施設や場所の種類を表し、マークの大きさは地図上の影響範囲、マークのパターンは危険度を表している。
マーク２０１は、携帯端末４０の端末位置を示している。
マーク２０２は、白抜きパターン（安全）で、安全な避難場所の位置を示している。
マーク２０３は、危険なパターン（危険）で、火災地域の範囲を示している。
マーク２０４，２０５は、白抜きパターン（安全、収容可）で、総合病院の位置を示している。
マーク２０６は、黒パターン（収容不可）で、総合病院の位置を示している。
地図２１０の中央に携帯端末４０の端末位置を示し、ユーザーＵにとって必要な、避難場所や病院の情報、および危険な範囲が認識しやすい情報として印刷されている。
【０１０５】
図７に示す提供情報出力紙２２０は、端末位置に関連する人物の避難情報が印刷されている例である。提供情報出力紙２２０には、情報２２１〜２２６が印刷されている。
情報２２１は、提供情報出力紙２２０の取り扱いについて指示する情報である。情報２２１には、「この用紙を掲示してください。」と記載されているため、ユーザーＵは印刷された提供情報出力紙２２０を最寄りの掲示板に貼り付ける。
情報２２２は、情報の対象者となる人物の氏名である。情報２２３は、情報の対象者の状態を示す内容である。情報２２４は、情報の対象者の所在地を示す内容である。情報２２５は、情報の対象者の安否情報を示す内容である。情報２２６は、情報提供日時を示す情報である。
提供情報出力紙２２０は、携帯端末４０の端末位置に係わる情報であり、必ずしも携帯端末４０を携帯するユーザーＵに係わる情報でない場合もある。この場合では、例えば、情報２２２に示す人物が、携帯端末４０の端末位置の近隣に居住しているものの、出かけている先で被災してしまい自宅の家族と連絡が取れないような場合に、情報２２２に示す人物およびその家族にとって有用な情報である。
【０１０６】
以上述べたように、本実施形態に係わる災害情報システム１においては、以下の効果を得ることができる。
サーバー６０では、携帯端末４０および印刷装置１０の位置情報を印刷装置管理ＤＢ８１および携帯端末管理ＤＢ８３において管理している。災害発生Ｘを受けて、特定情報処理部７０では、携帯端末４０を携帯するユーザーＵの近くにある印刷装置１０を特定し特定情報を印刷装置１０へ送信する。特定情報処理部７０では、特定情報の受信を待ち、受信した特定情報の送信元が携帯端末４０であると判定（照合）した場合は、以降、印刷装置１０に送信する情報がユーザーＵに届く可能性が極めて高いことになる。つまり、ユーザーＵは、印刷装置１０のすぐ近くにいて、印刷装置１０から出力された情報を確認することができる状況にあると想定することができる。
サーバー６０の提供情報処理部７７では、ユーザーＵに係わる情報を収集してユーザーＵへ提供する提供情報を生成し、印刷装置１０へ送信する。ユーザーＵは、印刷装置１０において印刷された提供情報を確認することができる。
このようにして、ユーザーＵは、印刷装置１０から出力された特定情報をサーバー６０へ送信するという簡単な操作だけで、印刷装置１０から出力される提供情報を待っていればよい。従って、災害時などにユーザーが必要としている情報を、簡単にかつ確実に印刷することができる。
【０１０７】
なお、本発明は上述した実施形態に限定されず、上述した実施形態に種々の変更や改良などを加えることが可能である。変形例を以下に述べる。
【０１０８】
（変形例１）
図８は、変形例に係わる携帯端末の概要を表す説明図である。
上述の実施形態では、ユーザーＵにより携帯される携帯端末４０は、一体型の端末であったが、この構成に限定されず、携帯端末４０は複数の端末で構成されていてもよい。図８に示す携帯端末４０は、薄型軽量のセンサーバンド４０Ｊおよびスマートフォンなどの情報端末４０Ｋなどから構成されている。情報端末４０Ｋは、ＰＤＡ（Personal Digital Assistant）、ＰＣなどであってもよい。センサーバンド４０Ｊと情報端末４０Ｋとは通信４を介して相互にデータ通信可能に接続されている。また、情報端末４０Ｋは、通信３を介してサーバー６０とデータ通信可能に接続されている。
センサーバンド４０Ｊは、主にユーザーＵの身体から情報を取得する機能を有し、情報端末４０Ｋは、主にユーザーＵによる各種情報の入力、およびサーバー６０との情報送受信を行う機能を有している。
【０１０９】
センサーバンド４０Ｊは、測位部４２、生体センサー４４および体動センサー４５を含む検出部４３、表示部４６Ｊ、操作部４７Ｊ、通信部４９Ｊ、端末情報生成部５１Ｊを含む制御部５０Ｊ、記憶部５４Ｊを備えている。また、記憶部５４Ｊには、固有情報データ５５Ｊ、位置データログ５６、生体データログ５７、体動データログ５８などが格納されている。センサーバンド４０Ｊは、ユーザーＵの手首に装着されると、測位部４２により端末位置が測位され、検出部４３によって生体情報および体動情報が測定される。それぞれのデータは、記憶部５４Ｊに、位置データログ５６、生体データログ５７、体動データログ５８として格納される。固有情報データ５５Ｊには、生体情報などを算出するために必要な最低限の固有情報（例えば、性別や年齢など）が格納されている。表示部４６Ｊおよび操作部４７Ｊは、簡易的な表示（例えば、脈拍数や消費カロリーの表示など）および操作（例えば、タップ動作や揺動動作など）を行うことができ、表示する情報の切り替え、測位や測定の開始および終了等を指定する。
端末情報生成部５１Ｊは、情報端末４０Ｋを介してサーバー６０へ送信するユーザーＵの固有情報、位置情報、生体情報、および体動情報を抽出し、通信部４９Ｊを制御して情報端末４０Ｋへ送信する。
通信部４９Ｊは、好適例として消費電力を抑えた近距離無線アダプターであり、情報端末４０Ｋと通信を行う。近距離無線アダプターは、例えば、Ｂｌｕｅｔｏｏｔｈアダプターであってもよい。
【０１１０】
情報端末４０Ｋは、表示部４６Ｋ、操作部４７Ｋ、撮像部４８、通信部４９Ｋ、制御部５０Ｋ、固有情報データ５５Ｋを格納する記憶部５４Ｋなどから構成される。制御部５０Ｋは、端末情報生成部５１Ｋ、入力処理部５２、端末送信部５３などから構成される。
表示部４６Ｋおよび操作部４７Ｋは、ＬＣＤおよびタッチパネルなどであり、ＬＣＤは、表示部４６Ｊよりも広い表示領域を有している。
撮像部４８は、ＣＣＤセンサーやＣＭＯＳセンサーなどであり撮像した画像を出力する。
通信部４９Ｋは、通信部４９Ｊと通信する近距離無線アダプターと、サーバー６０と通信３を介して通信する携帯電話通信、無線ＬＡＮなどの無線通信アダプターと、を備える通信アダプターである。
【０１１１】
端末情報生成部５１Ｋは、表示部４６Ｋおよび操作部４７Ｋを制御して、ユーザーＵから固有情報を入力させる。通信部４９Ｋを制御して、センサーバンド４０Ｊと通信を確立し、位置情報、生体情報、および体動情報を受信する。固有情報、位置情報、生体情報および体動情報を端末送信部５３に引き渡して処理を移す。
【０１１２】
入力処理部５２では、撮像部４８を制御して印刷装置１０から出力された特定情報を撮像し、特定情報に含まれるＱＲコード等を読み込む。または、特定情報の内容を操作部４７Ｋを制御して入力させる。特定情報から読み込まれた情報を、端末送信部５３に引き渡して処理を移す。
【０１１３】
端末送信部５３では、通信部４９Ｋを制御してサーバー６０と通信を確立する。端末情報生成部５１Ｋから処理が移された場合は、固有情報、位置情報、生体情報、および体動情報をサーバー６０へ送信する。入力処理部５２から処理が移された場合は、特定情報から読み込まれた情報をサーバー６０へ送信する。
【０１１４】
以上、本変形例によれば携帯端末４０の機能をセンサーバンド４０Ｊと情報端末４０Ｋとに分担させることにより、センサーバンド４０Ｊ側を構成する部品を減らすことができ、センサーバンド４０Ｊの薄型化、軽量化、省電力化を実現することができる。ユーザーＵはセンサーバンド４０Ｊを、常時、違和感なく長時間装着することができるため、災害などの突発的な事態においても装着されている可能性が高い。
【０１１５】
（変形例２）
印刷装置１０は、例えば、ＪＩＳ規格のＡ０判やＢ０判などといった比較的大きなサイズの用紙などに印刷可能な大判プリンターであってもよい。また、提供情報を複数のＡ４判やＢ５判などの用紙に分割して印刷し、張り合わせてＡ０判やＢ０判の印刷物を生成してもよい。このような構成によれば、提供情報の情報量を増やして、大きな掲示物として１枚の用紙に印刷することができる。大勢のユーザーが確認することができる提供情報の掲示に有効である。
【０１１６】
（変形例３）
印刷装置１０または印刷部１３は、インクジェット方式プリンター、電子写真方式プリンターに限定されず、特定情報や提供情報をユーザーＵが認識できる形式で表現されて出力装置であればよい。例えば、いずれも周知のドットインパクトプリンター、熱転写プリンター、デイジーホイールプリンター、ラベルライター、３Ｄプリンターなどの機構を有する出力装置であってもよい。
また、特定情報や提供情報を形成する材料や媒体は、インクおよびトナー、用紙などに限定されず、それぞれの出力装置により利用される形成材料や媒体であればよい。
【０１１７】
（変形例４）
印刷装置１０の表示部１５は、プロジェクターの投写部であってもよい。また、印刷装置１０の印刷部１３がプロジェクターの投写部であってもよい。このような構成では、受信した提供情報を一定時間（例えば、１分）毎に大型スクリーンに切り替えて表示してもよい。このような構成によれば、災害状況が頻繁に変動するような状況下では、リアルタイムに提供情報を出力することができる。
【０１１８】
（変形例５）
特定情報は、印刷装置１０の表示部１５に表示されてもよい。その場合は、携帯端末４０の入力処理部５２では、表示部１５に表示された特定情報を、撮像部４８または操作部４７により入力し、サーバー６０へ送信することができる。
【０１１９】
（変形例６）
携帯端末４０とサーバー６０との間の通信３は、無線ＬＡＮや携帯通信網などを含む移動体通信網に限定されない。例えば、複数のネットワーク端末を介して無線の通信範囲を広げるマルチホップ通信、または類似のアドホックな無線ネットワークであってもよい。このようなネットワークを利用することによって、ネットワークの基幹システムが混乱している場合であっても、携帯端末４０およびサーバー６０間で通信可能になる可能性がある。また、印刷装置１０とサーバー６０との間の通信２においても同様なマルチホップ通信、または類似のアドホックな無線ネットワークであってもよい。
【０１２０】
（変形例７）
携帯端末４０から送信された特定情報は、サーバー６０においてユーザーＵの携帯端末４０から送信されたことを特定情報照合部７８で照合するとしているが、このような構成に限定されない。例えば、特定情報を印刷装置１０の表示部１５などに掲示しておき、サーバー６０において管理されていないユーザーが特定情報を入力して、サーバー６０へ送信することも可能である。その場合は、サーバー６０は、ユーザー固有の情報は送信しないものの、印刷装置１０が設置されている装置位置に基づいた情報を印刷装置１０へ送信することができる。印刷装置１０から出力された情報は、装置位置付近にいるユーザーにとって有用な情報となる。
【符号の説明】
【０１２１】
１…災害情報システム、２，３，４…通信、１０…印刷装置、１２…出力部、１３…印刷部、１５…表示部、１９…通信部、２０…制御部、２１…位置設定部、２３…登録部、２７…受信情報処理部、２８…特定情報出力部、２９…提供情報出力部、３０…記憶部、３１…位置データ、３１ａ，３１ｂ…装置位置データ、４０…携帯端末、４０Ｊ…センサーバンド、４０Ｋ…情報端末、４２…測位部、４３…検出部、４４…生体センサー、４５…体動センサー、４６，４６Ｊ，４６Ｋ…表示部、４７，４７Ｊ，４７Ｋ…操作部、４８…撮像部、４９，４９Ｊ，４９Ｋ…通信部、５０，５０Ｊ，５０Ｋ…制御部、５１，５１Ｊ，５１Ｋ…端末情報生成部、５２…入力処理部、５３…端末送信部、５４，５４Ｊ，５４Ｋ…記憶部、５５，５５Ｊ，５５Ｋ，５５ａ，５５ｂ…固有情報データ、５６…位置データログ、５６ａ…端末位置データ、５７…生体データログ、５７ａ…生体データ、５８…体動データログ、５８ａ…体動データ、６０…サーバー、６１…表示部、６２…操作部、６３…通信部、６４…処理部、６５…登録部、６７…災害処理部、７０…特定情報処理部、７１…端末情報取得部、７３…装置決定部、７５…特定情報生成部、７７…提供情報処理部、７８…特定情報照合部、７９…提供情報生成部、８０…記憶部、８１…印刷装置管理ＤＢ、８２…装置位置、８３…携帯端末管理ＤＢ、８４…固有情報、８５…端末位置、８６…候補リストテーブル、８７，８７ａ，８７ｂ，８７ｃ，８７ｄ…特定情報データ、８８，８８ａ，８８ｂ，８８ｃ…提供情報データ、１００…特定情報出力紙、２００，２２０…提供情報出力紙。
【図１】
2017078878.tif 000003
【図２】
2017078878.tif 000004
【図３】
2017078878.tif 000005
【図４】
2017078878.tif 000006
【図５】
2017078878.tif 000007
【図６】
2017078878.tif 000008
【図７】
2017078878.tif 000009
【図８】
2017078878.tif 000010